(57)【特許請求の範囲】
【請求項１】
吸込口と吹出口とを備えた本体内に、熱交換器と送風ファンとを収納し、前記吹出口に、回動自在に上下風向板を軸支した空気調和機において、
前記上下風向板の案内面の側部に、本体の側方から中央部に向けて順次、高さが高くなる複数のリブを立設したことを特徴とする空気調和機。
【発明の詳細な説明】
【技術分野】
【０００１】
本発明は、空気調和機に関わり、より詳細には、吹出口に設けられた風向板の構成に関するものである。
【背景技術】
【０００２】
従来の空気調和機は、図４に示すように、室内機本体３０の前面下部から底面にかけて吹出口３１を開口させ、同吹出口３１に、吹出風の吹出方向を上方又は下方に案内するための水平羽根３２を配置させるとともに、回動可能に枢支させている。同水平羽根３２の吹出風を案内する上部の案内面は、わずかに湾曲した円弧状に形成されている。
【０００３】
上記水平羽根３２の案内面には、両側部の位置に、複数条の吹出風ガイド３３が形成されている。この吹出風ガイド３３は、横断面三角形状で、縦断面台形状のものであり、内側の吹出風を水平羽根３２の外側方へと偏向するように配置されている。
【０００４】
運転が開始されると吹出風は、水平羽根３２の案内面に案内されて上方に偏向させられるが、上記吹出風ガイド３３によって内側の強い吹出風が外側方に向かって案内され、これにより、水平羽根３２の側部側では、上下両面とも強い吹出風が流れることになり、この吹出風によって水平羽根３２の側部を包み込むことになるので、室内空気の巻込みが抑制され、冷房運転時の結露の発生を防止できる。さらに水平羽根３２の下面は外方に膨出する円弧状になっているため、誘引される吹出風は、円弧状表面に付着した流れとなり、室内空気の巻込みを一段と抑制することになる。
【０００５】
しかしながら、吹出口３１からの吹出風量が弱い場合には、吹出風が外側方に向かって充分に案内されず、室内空気が吹出口３１に巻き込まれて、吹出口３１近傍に逆流、所謂サージングが生じる虞があった。
【先行技術文献】
【特許文献】
【０００６】
【特許文献１】特開平６−２８８６０５号（３頁、図１）
【発明の概要】
【発明が解決しようとする課題】
【０００７】
本発明は、上記問題点に鑑み、吹出口から吹出される風量が小さい場合でも、室内空気の吹出口への巻き込みを防ぎ、吹出口でのサージング発生や、結露発生を防止することのできる空気調和機を提供することを目的とする。
【課題を解決するための手段】
【０００８】
本発明は、上記課題を解決するため、吸込口と吹出口とを備えた本体内に、熱交換器と送風ファンとを収納し、前記吹出口に、回動自在に上下風向板を軸支した空気調和機において、前記上下風向板の案内面の側部に、本体の側方から中央部に向けて順次、高さが高くなる複数のリブを立設した構成となっている。
【発明の効果】
【０００９】
請求項１の発明によれば、吹出口に逆流してきた室内の暖かい空気が、風向板の外側から順次、段階的に高くなるリブに衝突して流れが遮断されることにより、各リブの上方部が空気の露点温度以上となり、また、逆流してきた空気は各リブの下部の部位に侵入することがないので、結露現象を防ぐことができるとともに、各リブに衝突して、吹出口内に侵入することができず、これにより、吹出口から吹出される吹出風との衝突を回避することができ、吹出風のサージング現象の発生及び結露を防止することができるようになっている。
【図面の簡単な説明】
【００１０】
【図１】本発明による空気調和機の外観斜視図と断面図である。
【図２】吹出口を示す斜視図である。
【図３】風向板に設けられたリブを示す斜視図と断面図である。
【図４】風向板の従来例を示す斜視図である。
【発明を実施するための形態】
【００１１】
以下、本発明の実施の形態を、添付図面に基づいた実施例として詳細に説明する。
【実施例１】
【００１２】
本発明による空気調和機は、図１（Ａ）の外観斜視図で示すように、前面上部に吸込口１を設け、前面下部に吹出口２を設けている。また、同吹出口２の側方には、複数のＬＥＤからなる表示部１０と、リモートコントローラからの信号を受信する受信部１０ａが設けられ、また、吹出口２には回動自在に枢支された上下風向板８が設けられており、同上下風向板８は運転停止時には、吹出口２を遮蔽するようになっている。
【００１３】
吸込口１と吹出口２とを結ぶ空気流路には、図１（Ｂ）の断面図で示すように、平行に並べられたフィンと同フィンに直交するように配設された伝熱管とからなり、前方下部３ｂと前方上部３ａと後方上部３ｃとで構成された逆Ｖ字状の熱交換器３と、同熱交換器３で熱交換された空気を前記吹出口２から室内に送出する送風ファン４とが設けられている。また、前記前方下部３ｂの下方には、同前方下部３ｂと前方上部３ａとから滴下する凝縮水を受け、これを貯留する前部露受皿５が設けられ、前記後方上部３ｃの下方には、同後方上部３ｃから滴下する凝縮水を受け、これを貯留する後部露受皿６が設けられている。また、送風ファン４と吹出口２とを結ぶ吹出通路には、送出される吹出風を左右方向に偏流させる複数の左右風向板７が設けられ、吹出口２には上記したように、回動自在に軸支された上下風向板８が設けられている。
【００１４】
図２の吹出口２を示す斜視図に示すように、本体の内部右側には、電装品箱が配置されている関係上、吹出口２の右側端部は、吹出風が吹出されないダミー吹出部２ａとなっている。冷房運転時、吹出口２から冷風が吹出されると、冷風が吹出されないダミー吹出部２ａには温度の高い室内の空気が逆流し、吹出口２からの吹出風と衝突して、吹出風にサージング現象が発生するとともに、暖かい空気が冷却されて上下風向板８の表面に結露が発生する虞がある。
【００１５】
吹出口２に回動自在に軸支された上下風向板８の、吹出風を吹出方向に案内する案内面１１の側部には、本体の側方から中央部に向けて、図２の斜視図で示すように、ダミー吹出部２ａに対応する部位に複数のリブ９が立設されている。同リブ９は、図３（Ａ）の斜視図で示すように、上下風向板８の外側から順次、第一リブ９ａ、第二リブ９ｂ、第三リブ９ｃ及び第四リブ９ｄと立設されており、これら第一リブ９ａ、第二リブ９ｂ、第三リブ９ｃ及び第四リブ９ｄは上下風向板８の短手方向に形成されるとともに、厚み及び奥行き寸法は同一となっている。また、高さ寸法は第一リブ９ａから第四リブ９ｄに掛けて段階的に高くなるように形成されている。
【００１６】
次に、上記したリブ９の作用について説明する。図３（Ｂ）の断面図に示すように、上記したダミー吹出部２ａ近傍に立設されたリブ９に、矢印で示すように、本体の側方から室内の暖かい空気が逆流してきた場合、室内の暖かい空気は、高さの最も低い第一リブ９ａに衝突した後、段階的に高さの異なる第二リブ９ｂ、第三リブ９ｃ及び第四リブ９ｄに衝突しながら流れが遮断され、ダミー吹出部２ａから、吹出口２への侵入を遮られるようになっている。
【００１７】
段階的に高さの異なる第一リブ９ａ、第二リブ９ｂ、第三リブ９ｃ及び第四リブ９ｄに室内の暖かい空気が順次、衝突して流れが遮断されることにより、図３（Ｂ）の着色部で示すように、第一リブ９ａ、第二リブ９ｂ、第三リブ９ｃ及び第四リブ９ｄの上方部が、空気の露点温度以上となる。これにより、逆流してきた室内の暖かい空気は、各リブの網かけ部で示される空気の露点温度以上の部位に当たる一方、各リブの無地で示される露点温度以下の下部部位に侵入することができないので、暖かい空気が冷却されて発生する結露現象を防ぐことができるようになっている。
【００１８】
また、逆流してきた室内の暖かい空気が、連続的に高さの異なる第一リブ９ａ、第二リブ９ｂ、第三リブ９ｃ及び第四リブ９ｄに順次、衝突して流れが遮断されることにより、吹出口２から吹出される吹出風と、逆流してきた室内の空気との衝突を回避することができ、空気の衝突による吹出風での乱流及びサージング現象の発生及び結露発生を防止することができるようになっている。
【符号の説明】
【００１９】
１  吸込口
２  吹出口
３  熱交換器
３ａ  前方上部
３ｂ  前方下部
３ｃ  後方上部
４  送風ファン      
５  前部露受皿    
６  後部露受皿
７  左右風向板
８  上下風向板
９  リブ
９ａ  第一リブ
９ｂ  第二リブ
９ｃ  第三リブ
９ｄ  第四リブ
１０  表示部
１０ａ  受信部
１１  案内面
【図１】
0005402616.tif 000002
【図２】
0005402616.tif 000003
【図３】
0005402616.tif 000004
【図４】
0005402616.tif 000005